(57)【特許請求の範囲】
【請求項１】
入力信号の波形を予め設定された複数項目の動作条件に従って記録し表示する波形記録装置における動作条件の設定方法において、
前記波形記録装置を使用して行うことのできる少なくとも１つの測定目的のうち特定の測定目的のための測定内容を表す文章であって、その少なくとも一部が複数の選択肢から選択することで変更できるようになっている文章を表示する段階と、
前記複数項目の動作条件のうち前記文章の前記複数の選択肢のそれぞれに関係付けて予め決定されている動作条件を、前記文章において表示された選択肢のものに設定すると共に、前記複数項目の動作条件のうち前記文章の前記複数の選択肢とは関係付けられていない動作条件を、前記特定の測定目的と関係付けて予め決定されている動作条件に設定することで、前記複数項目の動作条件を設定する段階と、
を有することを特徴とする波形記録装置における動作条件の設定方法。
【請求項２】
前記文章において表示された選択肢のそれぞれに関係付けて予め決定されている動作条件は、入力信号の波形を記録し表示する際の時間軸方向の比率、測定値軸方向の比率、またはこれらの両方を含むことを特徴とする請求項１に記載の波形記録装置における動作条件の設定方法。
【請求項３】
前記特定の測定目的は、商用電源の測定であることを特徴とする請求項１または２に記載の波形記録装置における動作条件の設定方法。
【請求項４】
入力信号の波形を予め設定された複数項目の動作条件に従って記録し表示する波形記録装置において、
前記複数項目の動作条件の設定を記憶する動作条件記憶部と、
前記複数項目の動作条件のそれぞれを任意に設定するための第１の設定画面を表示するための第１の設定画面情報、および前記波形記録装置を使用して行うことのできる少なくとも１つの測定目的のうち特定の測定目的のための前記複数項目の動作条件を設定するための第２の設定画面を表示するための第２の設定画面情報が記憶された設定画面情報記憶部と、
前記第１および第２の設定画面を表示する表示部と、
前記第１の設定画面情報に基づいて前記第１の設定画面を前記表示部に表示させると共に、前記第２の設定画面情報に基づいて前記第２の設定画面を前記表示部に表示させる表示制御部と、
前記表示部に前記第１および第２の設定画面のうちいずれかを選択的に表示させる信号を前記表示制御部に入力するための設定画面選択手段と、
前記第１および第２の設定画面において指定された内容に基づいて前記複数項目の動作条件を設定する動作条件情報を前記動作条件記憶部に記憶させる設定制御部と、
を有し、
前記第２の設定画面には、前記波形記録装置を使用して行うことのできる少なくとも１つの測定目的のうち特定の測定目的のための測定内容を表す文章であって、その少なくとも一部が複数の選択肢から選択することで変更できるようになっている文章が表示され、
前記設定制御部は、前記第２の設定画面が前記表示部に表示された場合、前記複数項目の動作条件のうち前記文章の前記複数の選択肢のそれぞれに関係付けて予め決定されている動作条件を、前記文章において表示された選択肢のものに設定すると共に、前記複数項目の動作条件のうち前記文章の前記複数の選択肢とは関係づけられていない動作条件を、前記特定の測定目的と関係付けて予め決定されている動作条件に設定する前記動作条件情報を、前記動作条件記憶部に記憶させることを特徴とする波形記録装置。
【請求項５】
前記設定制御部は、前記第１の設定画面が前記表示部に表示された場合、前記第１の設定画面において指定された内容に基づいて前記複数項目の動作条件を任意に設定する前記動作条件情報を前記動作条件記憶部に記憶させることを特徴とする請求項４に記載の波形記録装置。
【請求項６】
前記第２の設定画面は一画面で表示されることを特徴とする請求項４または５に記載の波形記録装置。
【請求項７】
前記文章において表示された選択肢のそれぞれに関係付けて予め決定されている動作条件は、入力信号の波形を記録し表示する際の時間軸方向の比率、測定値軸方向の比率、またはこれらの両方を含むことを特徴とする請求項４〜６のいずれかの項に記載の波形記録装置。
【請求項８】
前記特定の測定目的は、商用電源の測定であることを特徴とする請求項４〜７のいずれかの項に記載の波形記録装置。
【発明の詳細な説明】
【技術分野】
【０００１】
本発明は、波形記録装置における動作条件の設定方法および波形記録装置に関するものであり、より詳細には、入力信号の波形を記録し表示するために複数項目の動作条件を設定する必要がある波形記録装置における動作条件の設定方法および波形記録装置に関するものである。
【背景技術】
【０００２】
従来、入力信号の波形を記録し表示させる波形記録装置がある（特許文献１）。波形記録装置は、漏電監視、停電監視、種々の機器の動作解析などのために広く用いられている。
【０００３】
波形記録装置は、一般に、入力信号の波形を記録し表示するために、測定に先立って、複数項目の動作条件を設定する必要がある。例えば、入力信号に基づいて波形記録用情報を生成する際の時間軸方向の比率（１ｄｉｖ（マス）当たりの時間）、各チャネルの測定値軸方向の比率（１ｄｉｖ（マス）当たりの電気的パラメータ値）、各チャネルの信号波形のゼロ位置、測定を開始などするためのトリガ条件などを設定する必要がある。
【先行技術文献】
【特許文献】
【０００４】
【特許文献１】特開２００９−９２４５９号公報
【発明の概要】
【発明が解決しようとする課題】
【０００５】
しかしながら、従来の波形記録装置では、入力信号の波形を記録し表示するために必要な複数項目の動作条件を設定するための画面が、一定のまとまりのある設定項目毎に複数の画面に分かれていることがある。また、１つの設定画面においても、簡略化された設定項目名が付された多くの設定項目が存在していることがある。そのため、波形記録装置の動作条件の設定操作に不慣れな操作者にとっては、特定の測定目的のために適切な条件に設定することが望まれる設定項目を探し出して設定を行うことが難しいことがある。また、波形記録装置の動作条件の設定操作に不慣れな操作者にとっては、多くの設定項目が存在するために、特定の測定目的のためにどの設定項目の設定を行って測定を開始すればよいのか自体、理解することが難しいことがある。
【０００６】
即ち、従来の波形記録装置では、操作者は、測定したい内容に沿って取扱説明書を読み、各設定画面に存在する設定項目を最適と思われるものに設定する（複数の選択肢から選択したり、任意の値を入力したりする）。そして、測定を開始し、足りない設定があった場合は、何が足りないのかを考え、その設定項目が存在する設定画面に移動し、再度設定を行う。例えば、時間軸方向の比率が適正でない場合には、所望の数の波形を記録し表示することができないことが起こる。また、測定値軸方向の比率が適正でない場合には、表示される波形の振幅が必要以上に小さくなったり、全振幅にわたる波形が表示されなかったりすることが起こる。
【０００７】
ところで、波形記録装置を使用して行うことのできる測定目的として、多くの使用者が望む一般的な測定目的がある。また、このような一般的な測定目的には、波形記録装置の動作条件の設定操作に不慣れな操作者であっても望むことが多いものがある。
【０００８】
ところが、従来の波形記録装置では、このような一般的な測定目的のためであっても、取扱説明書を読んだり、設定項目を探したり、また必要な計算をしたりして、複数項目の動作条件の設定を行わなければならない。
【０００９】
従って、本発明の目的は、入力信号の波形を記録し表示するために必要とされる複数項目の動作条件の設定を適正かつ容易に行うことを可能とする波形記録装置における動作条件の設定方法および波形記録装置を提供することである。
【課題を解決するための手段】
【００１０】
上記目的は本発明に係る波形記録装置における動作条件の設定方法および波形記録装置にて達成される。要約すれば、第１の本発明は、入力信号の波形を予め設定された複数項目の動作条件に従って記録し表示する波形記録装置における動作条件の設定方法において；前記波形記録装置を使用して行うことのできる少なくとも１つの測定目的のうち特定の測定目的のための測定内容を表す文章であって、その少なくとも一部が複数の選択肢から選択することで変更できるようになっている文章を表示する段階と；前記複数項目の動作条件のうち前記文章の前記複数の選択肢のそれぞれに関係付けて予め決定されている動作条件を、前記文章において表示された選択肢のものに設定すると共に、前記複数項目の動作条件のうち前記文章の前記複数の選択肢とは関係付けられていない動作条件を、前記特定の測定目的と関係付けて予め決定されている動作条件に設定することで、前記複数項目の動作条件を設定する段階と；を有することを特徴とする波形記録装置における動作条件の設定方法である。
【００１１】
第２の本発明によれば、入力信号の波形を予め設定された複数項目の動作条件に従って記録し表示する波形記録装置において；前記複数項目の動作条件の設定を記憶する動作条件記憶部と；前記複数項目の動作条件のそれぞれを任意に設定するための第１の設定画面を表示するための第１の設定画面情報、および前記波形記録装置を使用して行うことのできる少なくとも１つの測定目的のうち特定の測定目的のための前記複数項目の動作条件を設定するための第２の設定画面を表示するための第２の設定画面情報が記憶された設定画面情報記憶部と；前記第１および第２の設定画面を表示する表示部と；前記第１の設定画面情報に基づいて前記第１の設定画面を前記表示部に表示させると共に、前記第２の設定画面情報に基づいて前記第２の設定画面を前記表示部に表示させる表示制御部と；前記表示部に前記第１および第２の設定画面のうちいずれかを選択的に表示させる信号を前記表示制御部に入力するための設定画面選択手段と；前記第１および第２の設定画面において指定された内容に基づいて前記複数項目の動作条件を設定する動作条件情報を前記動作条件記憶部に記憶させる設定制御部と；を有し；前記第２の設定画面には、前記波形記録装置を使用して行うことのできる少なくとも１つの測定目的のうち特定の測定目的のための測定内容を表す文章であって、その少なくとも一部が複数の選択肢から選択することで変更できるようになっている文章が表示され；前記設定制御部は、前記第２の設定画面が前記表示部に表示された場合、前記複数項目の動作条件のうち前記文章の前記複数の選択肢のそれぞれに関係付けて予め決定されている動作条件を、前記文章において表示された選択肢のものに設定すると共に、前記複数項目の動作条件のうち前記文章の前記複数の選択肢とは関係づけられていない動作条件を、前記特定の測定目的と関係付けて予め決定されている動作条件に設定する前記動作条件情報を、前記動作条件記憶部に記憶させることを特徴とする波形記録装置が提供される。
【発明の効果】
【００１２】
本発明によれば、入力信号の波形を記録し表示するために必要とされる複数項目の動作条件の設定を適正かつ容易に行うことが可能となる。
【図面の簡単な説明】
【００１３】
【図１】本発明の一実施例に係る波形記録装置の構成を示すブロック図である。
【図２】本発明の一実施例に係る波形記録装置の外観を示す模式図である。
【図３】本発明の一実施例に係る簡易設定画面を示す模式図である。
【図４】本発明の一実施例に係る任意設定画面を示す模式図である。
【図５】本発明の一実施例に係る任意設定画面を示す模式図である。
【図６】本発明の一実施例に係る任意設定画面を示す模式図である。
【図７】本発明の一実施例に係る任意設定画面を示す模式図である。
【図８】本発明の一実施例に係る波形表示画面を示す模式図である。
【発明を実施するための形態】
【００１４】
以下、本発明に係る波形記録装置における動作条件の設定方法および波形記録装置を図面に則して更に詳しく説明する。
【００１５】
実施例１
１．波形記録装置の基本的な構成
先ず、本発明の一実施例に係る波形記録装置の基本的な構成について説明する。
【００１６】
図１は、本実施例の波形記録装置１の機能ブロック図である。本実施例の波形記録装置１は、入力信号の波形を予め設定された複数項目の動作条件に従って記録し表示することができる。本実施例の波形記録装置１は、入力信号の波形を記録し表示するために必要とされる複数項目の動作条件を設定するために、設定画面として任意設定画面を表示して任意に詳細な設定を行うことのできる任意設定と、設定画面として簡易設定画面を表示して特定の測定目的のための動作条件の設定を簡易に行うことのできる簡易設定と、の２通りの設定方法を選択することができる。
【００１７】
図１に示すように、波形記録装置１は、Ａ／Ｄ変換部２ａ、２ｂ、２ｃ、２ｄ、トリガ信号出力部３、制御部４、メモリ５、操作部６、表示部７、主制御部８およびデータ記録部９を有する。本実施例では、一例として、トリガ信号出力部３および制御部４がＦＰＧＡ（Field Programmable Gate Alley）内に構築されている。測定部としてのＡ／Ｄ変換部２ａ、２ｂ、２ｃ、２ｄは、それぞれ測定チャネル１、２、３、４（以下、それぞれ「ＣＨ１」、「ＣＨ２」、「ＣＨ３」、「ＣＨ４」ともいう。）の測定部を構成する。具体的には、Ａ／Ｄ変換部２ａ、２ｂ、２ｃ、２ｄ（以下、区別しないときには「Ａ／Ｄ変換部２」ともいう。）は、入力信号Ｓｉをアナログ−デジタル変換して（即ち、入力信号Ｓｉを所定のサンプリング周期でサンプリングして）、測定情報（測定データ）としてのサンプリングデータＤ１を生成する。
【００１８】
トリガ信号出力部３は、上記のＦＰＧＡ内に構築されたＡＮＤ回路およびＯＲ回路を有するトリガ検出器（図示せず）を備えている。このトリガ信号出力部３は、Ａ／Ｄ変換部２から出力されたサンプリングデータＤ１の電気的パラメータ（例えば、電圧値、電流値、周波数、位相など）と、後述するようにして予め設定された設定値との比較結果に基づいて、トリガ信号Ｓｔを出力する。なお、このトリガ信号出力部３は、波形記録装置１に対して設定される動作条件（記録条件）に応じて上記のＡＮＤ回路およびＯＲ回路の接続形態が随時変更される。本発明についての理解を容易とするために、この接続形態の変更（ＦＰＧＡに対する設定の変更）についての説明は省略する。
【００１９】
制御部４は、Ａ／Ｄ変換部２によって生成されたサンプリングデータＤ１を、例えば先入れ先出し法でメモリ５に順次記憶させる。また、制御部４は、トリガ信号出力部３からトリガ信号Ｓｔが出力されたときに、メモリ５から所定時間分（所定サンプリング数分）のサンプリングデータＤ１を読み出して、これを記録対象データＤ２として、データ記録部９に記録する。記録対象データＤ２は、入力信号に基づいて入力信号の波形を記録するための波形記録用情報である。
【００２０】
メモリ５は、一例として、ＳＤＲＡＭ（Synchronous Dynamic Random Access Memory）で構成されて、上記のサンプリングデータＤ１を一時的に記憶する。
【００２１】
操作部６は、図２に示すように、動作条件の設定などのために使用するキー６１や測定の開始や停止を指示する開始／停止スイッチ６２などの複数の操作スイッチを備え、この操作スイッチの操作に応じた操作信号を主制御部８に出力する。特に、本実施例では、操作部６には、任意設定を行うための任意設定画面を表示するように主制御部８に操作信号を出力する設定スイッチ６３、簡易設定を行うための簡易設定画面を表示するように主制御部８に操作信号を出力する簡易設定スイッチ６４が設けられている。
【００２２】
表示部７は、例えばＬＣＤ（Liquid Crystal Display）で構成される。表示部７は、主制御部８から出力された設定画面表示用データＤ３に基づき、複数項目の動作条件を設定するための設定画面（任意設定画面、簡易設定画面）を表示すると共に、主制御部８から出力された波形表示用データＤ４に基づき、入力信号の波形を表示するための波形表示画面を表示する。
【００２３】
主制御部８は、波形記録装置１を統括的に制御する。具体的には、主制御部８は、操作部６から出力された操作信号や予め設定された動作条件（設定値）に従い、トリガ信号出力部３および制御部４を制御する。また、主制御部８は、設定画面情報記憶部から、複数項目の動作条件を設定するための設定画面（任意設定画面、簡易設定画面）を表示するための、設定画面情報としての設定画面表示用データＤ３を読み出す。本実施例では、設定画面情報記憶部は、主制御部８に内蔵されたＲＯＭで構成される設定画面メモリ８１とされる。また、主制御部８は、制御部４から出力された記録対象データＤ２に基づいて、入力信号の波形を表示する波形表示画面を表示するための、波形表示用情報としての波形表示用データＤ４を生成する。そして、主制御部８は、表示部７に、上記設定画面（任意設定画面、簡易設定画面）を表示させるための設定画面表示用データＤ３や上記波形表示画面を表示させるための波形表示用データＤ４を出力する。
【００２４】
データ記録部９は、一例として、リムーバブルメモリ（メモリカードなど）やＨＤＤ（Hard Disc Drive）で構成される。データ記録部９は、制御部４の制御に従って記録対象データＤ２（所定時間分のサンプリングデータＤ１）を記録する。データ記憶部９は、波形記録用情報としての記録対象データＤ２を記憶する波形記録用情報記憶部である。
【００２５】
２．波形記録装置の基本的な使用方法
次に、波形記録装置１の基本的な使用方法について説明する。なお、以下の説明においては、Ａ／Ｄ変換部２に対して測定対象体が電気的に接続されて波形記録装置１に入力信号Ｓｉが入力されているものとする。また、本発明の特徴は、複数項目の動作条件の設定を簡易設定画面により簡易に行える点にあるが、本発明についての理解を容易とするために、波形記録装置１の基本的な使用方法として、複数項目の動作条件の設定を任意設定画面により行う方法を先に説明する。
【００２６】
２−１．任意設定
波形記録装置１による記録対象データＤ２の記録処理に際しては、先ず、記録対象データＤ２を記録し、波形表示用データＤ４を生成する動作条件を設定する。
【００２７】
具体的には、任意設定を行う場合、操作部６の設定スイッチ６３（図２）を押すことにより、図４〜７に示す設定画面としての任意設定画面１０を表示部７に表示させる。任意設定画面１０は、Ａ／Ｄ変換部２、トリガ信号出力部３および制御部４の動作条件を任意に設定するための表示画面である。本実施例では、任意設定画面１０は、それぞれ「測定設定」、「各ＣＨ（チャネル）設定」、「全ＣＨ（チャネル）一覧」、「トリガ」とのタイトルが付されたタブにより選択して表示させる複数のタブ画面１１、１２、１３、１４を有して構成される。本発明についての理解を容易とするために、入力信号の波形を記録し表示するために必要となる複数項目の動作条件のうち、代表的な設定項目について説明する。
【００２８】
（１）測定設定タブ画面
図４に示す測定設定タブ画面１１は、時間軸レンジ設定部１１ａ、時間軸倍率設定部１１ｂ、記録長設定部１１ｃ、繰り返し記録設定部１１ｄなどを有して構成される。
【００２９】
時間軸レンジ設定部１１ａは、制御部４がサンプリングデータＤ１に基づいて記録対象データＤ２を生成する際の時間軸（横軸）方向の比率を設定する部位である。時間軸レンジ設定部１１ａに、例えば「５ｍｓ／ｄｉｖ」との条件が設定された状態においては、後述する波形表示画面３０の波形表示部３１（図８）における時間軸方向の１ｄｉｖ当りに５ｍｓ分のサンプリングデータＤ１が含まれるように、制御部４によって記録対象データＤ２が生成される。
【００３０】
時間軸倍率設定部１１ｂは、制御部４がデータ記録部９に記録されている記録対象データＤ２に基づいて信号波形Ｗを波形表示部３１（図８）に表示させる際の時間軸方向の表示倍率を設定する部位である。時間軸倍率設定部１１ｂに、例えば「ｘ１」との条件（等倍）が設定された状態においては、波形表示部３１の１ｄｉｖ当りに、時間軸レンジ設定部１１に設定された時間長（この例では、「５ｍｓ」）を１倍した分の信号波形Ｗが表示される。
【００３１】
記録長設定部１１ｃは、制御部４がサンプリングデータＤ１に基づいて記録対象データＤ２を生成する時間の長さを設定する部位である。記録長設定部１１ｃに、例えば「２０ｄｉｖ」との条件が設定された場合は、時間軸レンジ設定部１１ａで設定された時間軸方向の比率（この例では、「５ｍｓ」）を２０倍した時間（即ち、「１００ｍｓ」）分の記録対象データＤ２を生成する。
【００３２】
繰り返し記録設定部１１ｄは、設定された動作条件で１回だけ測定するか（単発）、トリガ信号毎などに複数回繰り返して測定するかを選択する部位である。
【００３３】
（２）各ＣＨ設定タブ画面
図５に示す各ＣＨ設定タブ画面１２は、チャネル選択部１２ａ、選択チャネル表示部１２ｂ、チャネル使用選択部１２ｃ、測定レンジ設定部１２ｄ、ローパスフィルタ使用選択部１２ｅ、結合選択部１２ｆ、測定レンジ倍率設定部１２ｇ、０位置（ゼロ位置）設定部１２ｈ、トリガ使用選択部１２ｉ、トリガ条件設定部１２ｊおよび波形モニタ表示部１２ｋなどを有して構成される。各ＣＨ設定タブ画面１２は、Ａ／Ｄ変換部２によってサンプリングデータＤ１を生成する際のチャネル毎の動作条件（測定条件）、制御部４がサンプリングデータＤ１に基づいて記録対象データＤ２を生成する際のチャネル毎の動作条件、トリガ信号出力部３の動作条件などを設定するための画面である。
【００３４】
各ＣＨ設定タブ画面１２では、チャネル選択部１２ａを操作して、選択チャネル表示部１２ｂにＣＨ１、ＣＨ２、ＣＨ３、ＣＨ４のうちのいずれかを表示させることで、動作条件を設定するチャネルを選択する。選択チャネル表示部１２ｂに表示されるチャネルが変わると、それに連動して上記各設定項目１２ｃ〜１２ｊの表示などが切り替わり、チャネル毎の各設定項目の設定を行えるようになる。
【００３５】
チャネル使用選択部１２ｃは、該当するチャネルを使用するか否かを選択する部位である。チャネル使用選択部１２ｃにチェックマークを付けることで該当するチャネルを使用することが選択される。
【００３６】
測定レンジ設定部１２ｄは、サンプリングデータＤ１を生成する際の測定値軸（縦軸）方向の比率である測定レンジを設定する部位である。測定レンジ設定部１２ｄに、例えば「５０Ｖ／ｄｉｖ」との条件が設定された状態においては、波形表示部３１において測定値軸方向の１ｄｉｖ当たりに５０Ｖの測定レンジで信号波形Ｗが表示されるように、サンプリングデータＤ１が生成される。
【００３７】
ローパスフィルタ使用選択部１２ｅは、サンプリングデータＤ１を生成する際に、低周波数信号を通過させるフィルタを使用して高周波数ノイズを除く機能のＯＮ／ＯＦＦを選択するための部位である。
【００３８】
結合選択部１２ｆは、測定すべき電気的パラメータの種類を設定する部位である。
【００３９】
測定レンジ倍率設定部１２ｇは、制御部４がデータ記録部９に記録されている記録対象データＤ２に基づいて信号波形Ｗを波形表示部３１に表示させる際の、測定値軸方向の表示倍率を設定する部位である。測定レンジ倍率設定部１２ｇに、例えば「ｘ１」との条件（等倍）が設定された状態においては、上記測定レンジ設定部１２ｄで設定した１ｄｉｖ当りの測定レンジを１倍した測定レンジで信号波形Ｗが表示される。
【００４０】
ゼロ位置設定部１２ｈは、制御部４が信号波形Ｗを波形表示部３１に表示させる際の、測定軸方向のゼロ位置を設定する部位であって、正負を均等にして観察したい場合は「５０％」の位置をゼロ位置に設定するが、正側の波形を観察したい場合や負側の波形を観察した場合はゼロ位置を変更することができる。
【００４１】
図５に示す例は、１ｄｉｖ当り５０Ｖの測定レンジで、０Ｖの位置が波形表示部３１の上下方向中央部に位置するように直流電圧（ＤＣ）を表示倍率１倍（ｘ１）で記録し表示する処理が該当するチャネル（この例では、ＣＨ１）について設定されている状態である。
【００４２】
トリガ使用選択部１２ｉは、トリガ信号出力部３にトリガ信号（開始トリガ信号）Ｓｔを出力させるためのトリガ出力処理のＯＮ／ＯＦＦを選択するための部位である。いずれかのチャネルについてトリガ機能を仕様する場合は、トリガ使用選択部１２ｉをＯＮに設定する。
【００４３】
トリガ条件設定部１２ｊは、例えばいずれかのチャネルの入力信号をトリガ源としてトリガ信号出力部３がトリガ信号Ｓｔを出力するように、該当するチャネルについてトリガ出力処理の条件を設定する部位である。トリガ条件設定部１２ｊには、トリガ種類選択部１２ｊ１、トリガレベル設定部１２ｊ２、スロープ設定部１２ｊ３、外部トリガ使用選択部１２ｊ４、フィルタ使用選択部１２ｊ５などが設けられている。トリガ種類選択部１２ｊ１は、トリガ出力処理の種類を指定するための部位である。トリガ種類選択部１２ｊ１には、「電圧降下トリガ」、「ウィンドウトリガ」および図５に示す「レベルトリガ」などの各種のトリガ出力処理のうちから、操作者によって選択された（指定された）種類のトリガ出力処理が表示される。「電圧降下トリガ」は、電圧値が設定値（レベル、閾値）を下回った場合にトリガを発生する処理である。「ウィンドウトリガ」は、電圧値が設定した上限値と下限値との間の範囲内に入った場合または該範囲から出た場合にトリガを発生する処理である。「レベルトリガ」は、設定電圧値を立ち上がりまたは立ち下がりで横切った場合にトリガを発生する処理である。トリガレベル設定部１２ｊ２には、トリガ信号Ｓｔを出力させるための設定値が設定される。スロープ設定部１２ｊ３は、設定値を超えるか（上向き）または下回るか（下向き）のいずれの態様でトリガレベル設定部１２ｊ２で設定された条件を満たした場合に、トリガ信号Ｓｔを出力させるかが選択される。外部トリガ使用選択部１２ｊ４では、外部装置からのトリガ信号の使用の有無（ＯＮ／ＯＦＦ）が選択される。フィルタ使用選択部１２ｊ５は、トリガレベル設定部１２ｊ２で設定された条件と比較する入力信号に対するノイズ除去処理のＯＮ／ＯＦＦが選択される。
【００４４】
図５に示す例は、該当するチャネル（この例では、ＣＨ１）のＡ／Ｄ変換部２によって生成されたサンプリングデータＤ１の電圧レベルを監視して、トリガ条件設定部１２ｊのトリガレベル設定部１２ｊ２に設定された電圧レベル（この例では、１００Ｖ）を上向きに超えたときに、トリガ信号出力部３からトリガ信号Ｓｔが出力されるレベルトリガが選択された状態が示されている。また、図５に示す例では、外部トリガはＯＦＦであり、フィルタもＯＦＦである。
【００４５】
なお、各ＣＨ設定タブ画面１２に設けられた波形モニタ表示部１２ｋは、各チャネルのＡ／Ｄ変換部２に入力信号Ｓｉが入力されている状態において、各入力信号Ｓｉを現在設定されている波形記録装置１の動作条件で処理して生成したモニタ表示用データに基づいて、動作条件の設定を補助するためのモニタ用の信号波形が表示される部位である。
【００４６】
また、本実施例では、各ＣＨ設定タブ画面１２に、測定設定タブ画面１１における時間軸レンジ設定部１１ａ、時間軸倍率設定部１１ｂ、記録長設定部１１ｃとそれぞれ同じ動作条件を設定するための項目１２ｌ、１２ｍ、１２ｎが設けられており、各ＣＨ設定タブ画面１２からもこれらの設定項目の設定を行うことができる。
【００４７】
（３）全ＣＨ一覧タブ画面
図６に示す全ＣＨ一覧タブ画面１３には、ＣＨ１、ＣＨ２、ＣＨ３、ＣＨ４の各チャネルについての測定レンジ、ローパスフィルタ使用選択、結合選択、測定レンジ倍率、ゼロ位置などをそれぞれ設定することのできる部位１３ａ、１３ｂ、１３ｃ、１３ｄが一覧表示される。全ＣＨ一覧タブ画面１３の上記各設定項目で設定できる内容は、各ＣＨ設定タブ画面１２の該当する設定項目で設定できる内容と同様である。各ＣＨ設定タブ画面１２では、チャネル毎に切り替えて表示させ、その設定を行うようになっていたが、全ＣＨ一覧タブ画面１３では、全てのチャネルの上記各設定項目の状態を同時に見ながら、各設定項目の設定を行うことができる。
【００４８】
（４）トリガタブ画面
図７に示すトリガタブ画面１４は、ＣＨ１、ＣＨ２、ＣＨ３、ＣＨ４の各チャネルについてのトリガ使用選択、トリガ条件などをそれぞれ設定することのできる部位１４ａ、１４ｂ、１４ｃ、１４ｄが一覧表示される。トリガタブ画面１４の上記各設定項目で設定できる内容は、各ＣＨ設定タブ画面１２の該当する設定項目で設定できる内容と同様である。各ＣＨ設定タブ画面１２では、チャネル毎に切り替えて表示させ、その設定を行うようになっていたが、トリガタブ画面１４では、全てのチャネルの上記各設定項目の状態を同時に見ながら、各設定項目の設定を行うことができる。
【００４９】
以上のようにして、任意設定画面１０により、波形記録装置１の複数項目の動作条件を設定することができる。
【００５０】
なお、任意設定画面１０における各設定項目は、予め決められた複数の選択肢から選択するようになっていても、一定の決まりに従って任意の値を入力するようになっていてもよい。これらの選択や入力は、操作部６における操作スイッチを操作することによって行う。
【００５１】
２−２．測定動作
次いで、操作部６のスタートスイッチを操作すると、主制御部８がトリガ信号出力部３および制御部４を制御して記録対象データＤ２の記録処理を開始させると共に、図８に示すように、波形表示画面３０を表示部７に表示させる。この波形表示画面３０は、波形表示部３１、スケール表示３２、トリガレベル表示３３、時間軸レンジ表示部３４、時間軸倍率表示部３５、記録長表示部３６などを有して構成されている。
【００５２】
波形表示部３１には、データ記録部９に対する記録対象データＤ２の記録が開始された時点において、データ記録部９に記録された記録対象データＤ２に基づく信号波形Ｗが表示される。また、スケール表示３２は、波形表示部３１に表示される信号波形Ｗ（この例では、ＣＨ１に入力されている入力信号Ｓｉの信号波形）の電圧レベルを示す。さらに、トリガレベル表示３３は、設定されているトリガレベルを信号波形Ｗに関連付けて（この例では、レベルトリガが設定されたＣＨ１の信号波形Ｗｂ１に関連付けて）表示する。なお、図８には、ＣＨ１に入力されている入力信号Ｓｉの信号波形のみ表示されている例を示しているが、その他のチャネルも使用している場合には、設定した動作条件に従って、ＣＨ２、ＣＨ３、ＣＨ４に入力されている入力信号Ｓｉの信号波形も同時に表示することができる。
【００５３】
また、時間軸レンジ設定部３４には、前述した任意設定画面１０で設定された時間軸レンジの設定値が表示され、時間軸倍率設定部３５には、前述した任意設定画面１０で設定された時間軸倍率の設定値が表示される。さらに、ＣＨ条件設定部３６には、ＣＨ選択部３７で選択されているチャネルについて、前述した任意設定画面１０で設定された設定値が表示される。
【００５４】
主制御部８によって記録処理の開始を指示されたトリガ信号出力部３は、Ａ／Ｄ変換部２から出力されるサンプリングデータＤ１が設定されたトリガレベル（この例では、２０Ｖ）を超えるか否かを監視する。そして、制御部４は、トリガ信号Ｓｔが出力されたときに、メモリ５に順次記憶させているサンプリングデータＤ１に基づいて、設定された条件に従って記録対象データＤ２を生成し、生成した記録対象データＤ２をデータ記録部９に順次記録させると共に主制御部８に出力する。また、主制御部８は、制御部４から記録対象データＤ２が出力されたときに、記録対象データＤ２の記録処理が開始されたと判別して、出力された記録対象データＤ２に基づいて波形表示用データＤ４を生成し、図８に示すように、その時点においてデータ記録部９に記録対象データＤ２が記録されている入力信号Ｓｉの信号波形Ｗを波形表示部３１に表示させる。その後、主制御部８は、設定された記録時間が経過したときに、制御部４を制御して記録対象データＤ２の生成（データ記録部９に対する記録処理）を停止させる。これにより、一例の記録処理が完了する。
【００５５】
２−３．任意設定における課題
ここで、波形記録装置１は、対象とする特定の測定目的に応じて、複数項目の動作条件を最適と思われるものに設定する必要がある。一例として、時間軸レンジの設定値が短過ぎるとき（１ｄｉｖ当りの測定時間長が短過ぎるとき）には、信号波形Ｗの表示が１周期分にも満たない不完全な状態となる。このような場合には、時間軸レンジ（時間／ｄｉｖ）の設定値をより大きい値に変更する必要がある。また、一例として、いずれかのチャネルの測定レンジの設定値が大き過ぎるときには、信号波形Ｗの振幅が小さな状態となる。このような場合には、該当するチャネルの測定レンジ（値／ｄｉｖ）の設定値をより小さい値に変更する必要がある。
【００５６】
例えば、１００Ｖ、５０Ｈｚの商用電源を測定する場合を例として更に説明すると、波形記録装置１の複数項目の動作条件を当該測定目的のために任意設定画面１０で設定する場合には、操作者は例えば次のような点に注意して慎重に設定を行う必要がある。
【００５７】
先ず、各ＣＨ設定タブ画面１２または全ＣＨ一覧タブ画面１３において、使用するチャネルに確実にチェックマークを付ける必要がある。
【００５８】
また、各ＣＨ設定タブ画面１２または全ＣＨ一覧タブ画面１３において、表示部７で表示できる縦軸の最大ｄｉｖ数（マス数）を考慮して、各チャネルの測定レンジ（１ｄｉｖ当たりの電圧値）を設定する必要がある。本実施例の波形記録装置１では最大１０ｄｉｖの表示が可能なので、測定レンジは「５０Ｖ／ｄｉｖ」に設定し、測定レンジ倍率は「×１」に設定するのが望ましい。また、正側の波形を観察したいのか、負側の波形を観察したいのかによって、ゼロ位置を変える必要があるが、正負を均等にして観察したい場合には「５０％」の位置をゼロ位置として設定するのが望ましい。
【００５９】
また、測定設定タブ画面１１または各ＣＨ設定タブ画面１２において、測定信号の周波数５０Ｈｚに基づいて、時間軸の１ｄｉｖを何秒に設定すれば波形を観察し易いかを考慮し、時間軸レンジ（１ｄｉｖの時間）を設定する必要がある。本実施例の波形記録装置１では、５０Ｈｚの場合は時間軸レンジを「５ｍｓ／ｄｉｖ」あるいは「１０ｍｓ／ｄｉｖ」程度に設定し、時間軸倍率を「×１」に設定するのが望ましい。また、各ＣＨ設定タブ画面１２または全ＣＨ一覧タブ画面１３において、高周波数ノイズが重畳した波形を観察したいのか、ノイズを除いた波形を観察したいかによって、各チャネルのローパスフィルタのＯＮ／ＯＦＦを選択する必要がある。
【００６０】
また、各ＣＨ設定タブ画面１２またはトリガタブ画面１４において、トリガ機能のＯＮ／ＯＦＦを選択し、トリガ機能をＯＮとする場合には、開始トリガ（どのチャネルをトリガ源とするのか）を選択し、外部トリガのＯＮ／ＯＦＦを選択し、トリガの設定値（レベル）の数値を設定し、スロープについて上向きか下向きかを選択し、またフィルタのＯＮ／ＯＦＦを選択する必要がある。
【００６１】
また、測定設定タブ画面１１において、何波形分の波形を記録したいかに応じて、時間軸レンジの設定を考慮しながら、記録長を設定する必要がある。例えば、５波形分の波形を記録したい場合を考えると、時間軸レンジが５ｍｓ／ｄｉｖの場合は記録長を２０ｄｉｖに設定し、時間軸レンジが１０ｍｓ／ｄｉｖの場合は記録長を１０ｄｉｖにする必要がある。これにより、いずれの場合も５波形分の記録が可能となる。
【００６２】
以上のように、波形記録装置１を使用して行うことのできる測定目的として一般的な商用電源の測定であっても、任意設定によって複数項目の動作条件を設定しようとすると、複数の画面にわたって設定項目を探し出し、必要に応じて計算をしながら、適正な設定を行うことが必要である。そのため、この種の操作に不慣れな操作者にとっては、取扱説明書などを参照しながらの煩雑かつ難しい操作となる。しかも、設定が適正でない場合には、前述のように、最適な状態で波形を記録し表示することができなくなり、場合によっては測定のやり直しをしなければならなくなる。
【００６３】
３．簡易設定
次に、本実施例にて特徴的な簡易設定について説明する。簡易設定によれば、波形記録装置１を使用して行うことのできる一般的な測定目的について、波形記録装置１の複数項目の動作条件を簡易に設定することができる。
【００６４】
任意設定を行う場合、操作部６の簡易設定スイッチ６４（図２）を押すことにより、図３に示す設定画面としての簡易設定画面２０を表示部７に表示させる。なお、本実施例では、簡易設定を行えるように用意された波形記録装置１の特定の測定目的は「商用電源を測る」ことであるものとする。
【００６５】
詳しくは後述するように、簡易設定を行えるようにする波形記録装置１を使用した一般的な測定目的は、複数用意されていてもよい。その場合、簡易設定スイッチ６４（図２）を押すことにより、先ず、主制御部８が測定目的を選択するための測定目的選択画面を表示部７に表示させるようにすることができる。そして、操作部６における操作によって、その測定目的選択画面で測定目的が選択されることにより、選択された測定目的のために用意されている簡易設定画面２０が表示部７に表示されるようにすることができる。
【００６６】
図３に示すように、簡易設定画面２０には、一画面に収まるように、商用電源を測定する場合の測定内容を表す文章が表示される。そして、測定内容を表す文章の一部分が複数の選択肢から選択することで変更できるようになっており、その部分（変更可能部分）の内容を変更することで、測定内容を変更できるようになっている。即ち、操作者は、上記変更可能部分の内容を変更して、簡易設定画面２０に表示された文章を所望の測定内容に沿って完成させていくことで、商用電源を測定する場合に一般的に想定される測定内容として予め用意されているものの中から、所望の測定内容に沿ったものに決定することができる。そして、この簡易設定画面２０に表示された測定内容を表示する文章が完成した時点で、商用電源を測定するために設定することが必要な複数項目の動作条件のうち、上記変更可能部分のそれぞれの選択肢に関係付けられている動作条件は、選択された選択肢に関係付けられている動作条件に設定される。一方、上記変更可能部分のそれぞれの選択肢には関係付けられていないが、商用電源を測定するために設定することが必要な動作条件は、商用電源の測定に関係付けて予め決定されている動作条件に設定される。
【００６７】
更に説明すると、図３に示す簡易設定画面２０には、「１．各チャネル設定」、「２．トリガ設定」、「３．記録長設定」、「４．繰り返し、保存設定」の欄が表示される。
【００６８】
「１．各チャネル設定」の欄には、ＣＨ１、ＣＨ２、ＣＨ３、ＣＨ４の各チャネルの使用の有無を選択するチャネル使用選択部２１ａ、２１ｂ、２１ｃ、２１ｄが設けられている。各チャネル使用選択部２１ａ、２１ｂ、２１ｃ、２１ｄは、複数の選択肢として「使用する」または「使用しない」を操作部６における操作により選択できるようになっている。これにより、ＣＨ１を例とすると、例えば『チャネル１「使用する」』などと表示され、操作者が直感的にＣＨ１の使用の有無を設定する部位であることを認識することができ、所望の測定内容に応じて「使用する」または「使用しない」のいずれかを選択することができる。そして、各チャネル使用選択部２１ａ、２１ｂ、２１ｃ、２１ｄの選択肢「使用する」を選択すると、任意設定画面１０の例えば各ＣＨ設定タブ画面１２において該当するチャネル使用選択部１２ｃにチェックマークを付けた場合と同様に、該当するチャネルを使用する設定となるように、該選択肢と動作条件とが関係付けられている。一方、選択肢「使用しない」には、該当するチャネルを使用しないとする動作条件が関係付けられている。
【００６９】
また、「１．各チャネル設定」の欄には、測定する商用電源の電圧および周波数の内容を選択する電圧選択部２２と周波数選択部２３が設けられている。電圧選択部２２は、複数の選択肢として「１００Ｖ」または「２００Ｖ」を操作部６における操作により選択できるようになっている。また、周波数選択部２３は、複数の選択肢として「周波数５０Ｈｚ」または「周波数６０Ｈｚ」を操作部６における操作により選択できるようになっている。これにより、例えば１００Ｖ、５０Ｈｚの商用電源の測定を行う場合を例とすると、『測定信号：「１００Ｖ」「周波数５０Ｈｚ」の商用電源を測定する』などと表示され、操作者が直感的に商用電源の電圧および周波数の条件を設定する部位であることを認識することができ、測定したい商用電源の条件に合致するように電圧選択部２２と周波数選択部２３の内容を選択することができる。そして、電圧選択部２２の選択肢「１００Ｖ」を選択すると、任意設定画面１０の例えば各ＣＨ設定タブ画面１２において該当するチャネルの測定レンジ設定部１２ｄに「５０Ｖ／ｄｉｖ」と設定した場合と同様に、測定レンジ（この例では、全てのチャネルで共通）が「５０Ｖ／ｄｉｖ」の設定となるように、該選択肢と動作条件とが関係付けられている。一方、電圧選択部２２の選択肢「２００Ｖ」には、測定レンジ（この例では、全てのチャネルで共通）を「１００Ｖ／ｄｉｖ」とする動作条件が関係付けられている。また、周波数選択部２３の選択肢「５０Ｈｚ」を選択すると、任意設定画面１０の例えば測定設定タブ画面１１において時間軸レンジ設定部１１ａに「５ｍｓ／ｄｉｖ」と設定した場合と同様に、時間軸レンジが「５ｍｓ／ｄｉｖ」の設定となるように、該選択肢と動作条件とが関係付けられている。また、本実施例では、周波数選択部２３の選択肢「６０Ｈｚ」には、時間軸レンジを「５ｍｓ／ｄｉｖ」とする動作条件が関係付けられている。選択肢「６０Ｈｚ」に対して他の動作条件が関係付けられていてもよい。
【００７０】
また、「２．トリガ設定」の欄には、ＣＨ１、ＣＨ２、ＣＨ３、ＣＨ４の各チャネルについてのトリガの使用の有無を選択するトリガ使用選択部２４ａ、２４ｂ、２４ｃ、２４ｄが設けられている。各トリガ使用選択部２４ａ、２４ｂ、２４ｃ、２４ｄは、複数の選択肢として「使用する」または「使用しない」を操作部６における操作により選択できるようになっている。これにより、ＣＨ１を例とすると、例えば『チャネル１  トリガを「使用する」』などと表示され、操作者が直感的にＣＨ１についてのトリガの使用の有無を設定する部位であることを認識することができ、所望の測定内容に応じて「使用する」または「使用しない」のいずれかを選択することができる。そして、各トリガ使用選択部２４ａ、２４ｂ、２４ｃ、２４ｄの選択肢「使用する」を選択すると、任意設定画面１０の例えば各ＣＨ設定タブ画面１２において、該当するトリガ使用選択部１２ｉにチェックマークを付けた場合と同様に該当するチャネルを使用する設定となり、また該当するトリガ条件設定部１２ｊにおいて「レベル（トリガ種類）」、「０Ｖ（レベル）」、「立ち上がり（スロープ）」というトリガ条件に設定した場合と同様の設定となるように、該選択肢と動作条件とが関係付けられている。なお、本実施例では、各チャネルの測定信号の少なくとも１つでもトリガ条件を満たした場合は測定を開始するようになっている。一方、選択肢「使用しない」には、該当するチャネルについてトリガを使用しないとする動作条件が関係付けられている。
【００７１】
また、「３．記録長設定」の欄には、波形および波形数選択部２５が設けられている。波形および波形数選択部２５は、複数の選択肢として例えば「５０Ｈｚ波形を２波形以上」、「５０Ｈｚ波形を５波形以上」、「６０Ｈｚ波形を２波形以上」、または「６０Ｈｚ波形を５波形以上」を操作部６における操作により選択できるようになっている。これにより、例えば１００Ｖ、５０Ｈｚの商用電源の測定において、５波形以上を観察したい場合を例とすると、『入力信号を「５０Ｈｚ波形  ５波形以上」測定する』などと表示され、操作者が直感的に観察したい波形数を設定する部位であることを認識することができ、測定したい波形数に合致するように波形および波形数選択部２５の内容を選択することができる。そして、例えば波形および波形数選択部２５の選択肢「５０Ｈｚ波形を５波形以上」を選択すると、任意設定画面１０の例えば測定設定タブ画面１１において記録長設定部１１ｃで「２０ｄｉｖ」に設定した場合と同様に、記録長が「２０ｄｉｖ」の設定となるように、該選択肢と動作条件とが関係付けられている。これにより、５０Ｈｚの場合は時間軸レンジとして５ｍｓ／ｄｉｖが設定されるので、５波形分の記録が可能となる。同様に、他の波形および波形数の選択肢に対しても、時間軸レンジとの関係で該当する波形数分の波形が記録されるように適切な記録長が予め計算され、それぞれの選択肢と関係付けられている。
【００７２】
また、「４．繰り返し、保存設定」の欄には、測定回数選択部２６が設けられている。測定回数選択部２６は、複数の選択肢として「一度だけ」、または「繰り返し」を操作部６における操作により選択できるようになっている。これにより、例えば『設定した内容で「一度だけ」測定する』などと表示され、操作者が直感的に測定回数を設定する部位であることを認識することができ、所望の測定内容に応じて測定回数を選択することができる。そして、例えば測定回数選択部２６の選択肢「一度だけ」を選択すると、任意設定画面１０の測定設定タブ画面１１において繰り返し記録設定部１１ｄに「単発」と設定した場合と同様に、設定した動作条件で１回だけ測定をするように、該選択肢と動作条件とが関係付けられている。同様に、繰り返し（或いはその他の測定回数）を選択した場合も、測定を繰り返す（或いは該当する回数だけ測定する）ように、それぞれの選択肢と動作条件とが関係付けられている。
【００７３】
さらに、「４．繰り返し、保存設定」の欄には、保存有無選択部２７ａ、記録媒体選択部２７ｂ、記録方式選択部２７ｃが設けられている。保存有無選択部２７ａは、複数の選択肢として「保存する」または「保存しない」を操作部６における操作により選択できるようになっている。また、記録媒体選択部２７ｂは、複数の選択肢として「ＣＦ（コンパクトフラッシュ（登録商標）メモリカード）」または「ＵＳＢメモリ」を操作部６における操作により選択できるようになっている。また、記録方式選択部２７ｃは、複数の選択肢として「バイナリ」または「テキスト」を操作部６における操作により選択できるようになっている。これにより、例えば測定したデータをＣＦにバイナリ形式で保存したい場合は、『測定したデータを「保存する」  「ＣＦ」に「バイナリ」形式で保存する』などと表示され、操作者が直感的に記録形態を設定する部位であることを認識することができ、所望の記録形態で測定したデータを保存することができる。
【００７４】
また、簡易設定画面２０には、測定内容を確定するための測定開始指示部２８が設けられている。測定開始指示部２８の表示内容も、操作者が直感的に設定操作を終了して測定を開始させる部位であることを容易に認識できるように、例えば『上記で測定を開始する』などとされている。上述の「１．各チャネル設定」、「２．トリガ設定」、「３．記録長設定」および「４．繰り返し、保存設定」の各欄の文章を所望の測定内容に応じて完成させた後に、操作部６における操作によって測定開始指示部２８を選択して押下する。これにより、主制御部８は、波形記録装置１を商用電源の測定に使用する際に設定することが必要な複数項目の動作条件のうち、上記各欄の変更可能部分の各選択肢に関係付けられている動作条件は、そのときに簡易設定画面２０に表示されている選択肢と関係付けられている動作条件に設定するように、動作条件記憶部としての主制御部８に内蔵されたＲＡＭで構成される動作条件メモリ８２に、その動作条件の設定を記憶する。一方、主制御部８は、波形記録装置１を商用電源の測定に使用する際に設定することが必要な複数項目の動作条件のうち、上記各欄の変更可能部分の各選択肢とは関係付けられていない動作条件は、特定の測定目的としての商用電源の測定と関係付けて予め決定されている動作条件、例えば、測定レンジ倍率は「×１」、ゼロ位置は「５０％」、時間軸倍率は「×１」、ローパスフィルタは「ＯＮ」、外部トリガ「ＯＦＦ」、トリガ機能におけるフィルタ「ＯＦＦ」にするように、動作条件メモリ８２にその動作条件の設定を記憶する。
【００７５】
以上のように、本発明によれば、入力信号の波形を予め設定された複数項目の動作条件に従って記録し表示する波形記録装置１における動作条件の設定方法は、波形記録装置１を使用して行うことのできる少なくとも１つの測定目的のうち特定の測定目的のための測定内容を表す文章であって、その少なくとも一部が複数の選択肢から選択することで変更できるようになっている文章を表示する段階を有する。本実施例では、上記特定の測定目的は商用電源を測定することである。そして、本実施例では、測定内容を表す文章は、例えば、「特定のチャネルを使用し、１００Ｖ、５０Ｈｚの商用電源を、トリガ無しで５波形以上一度だけ測定し、ＣＦにバイナリ形式で保存する」といった測定内容を、操作者に見やすい配置態様で表すものである。この測定内容を表す文章は、操作者が波形記録装置１を使用して行いたい商用電源の測定といった特定の測定目的における特定の測定内容を表すものである。このような文章は、典型的には、波形記録装置１の動作条件の設定項目の内容を直接的に表すものではないが、その一部に波形記録装置１の動作条件の設定項目の内容を直接的に表すものが含まれていてもよい。例えば、上述のような「測定したデータをＣＦにバイナリ形式で保存する」との文章は、測定内容を表すと共に、波形記録装置１の動作条件の設定項目の内容を直接的に表すものとも言える。操作者が特定の測定目的における測定内容を理解し易ければよい。
【００７６】
また、本発明によれば、波形記録装置１における動作条件の設定方法は、複数項目の動作条件のうち上記文章の複数の選択肢のそれぞれに関係付けて予め決定されている動作条件を、上記文章において表示された選択肢のものに設定すると共に、複数項目の動作条件のうち上記文章の複数の選択肢とは関係付けられていない動作条件を、上記特定の測定目的と関係付けて予め決定されている動作条件に設定することで、当該特定の測定目的のために設定することが必要な複数項目の動作条件を設定する段階を有する。本実施例では、上記特定の測定目的は商用電源を測定することである。そして、本実施例では、特に、入力信号の波形の時間軸（横軸）方向の比率（時間／ｄｉｖ）、測定値軸（縦軸）方向の比率（値／ｄｉｖ）、またはこれらの両方を含む複数の動作条件が、上記文章の複数の選択肢のそれぞれに関係付けて予め決定されている。一方、入力信号の波形の測定値軸（縦軸）方向のゼロ位置、測定値軸方向の表示倍率、時間軸（横軸）方向の表示倍率などは、上記文章の複数の選択肢には関係付けられておらず、特定の測定目的としての商用電源の測定と関係付けて予め決定されている。
【００７７】
また、本発明によれば、入力信号の波形を予め設定された複数項目の動作条件に従って記録し表示する波形記録装置１は、複数項目の動作条件の設定を記憶する動作条件記憶部を有する。本実施例では動作条件記憶部は、主制御部８に内蔵されたＲＡＭで構成される動作条件メモリ８２とされる。また、波形記録装置１は、複数項目の動作条件のそれぞれを任意に設定するための第１の設定画面（任意設定画面）１０（１１〜１４）を表示するための第１の設定画面情報、および波形記録装置１を使用して行うことのできる少なくとも１つの測定目的のうち特定の測定目的のための複数項目の動作条件を設定するための第２の設定画面（簡易設定画面）２０を表示するための第２の設定画面情報が記憶された設定画面情報記憶部を有する。本実施例では、設定画面情報記憶部は、主制御部８に内蔵されたＲＯＭで構成される設定画面メモリ８１とされる。
【００７８】
また、波形記録装置１は、第１および第２の設定画面を表示する表示部７を有する。また、波形記録装置１は、第１の設定画面情報に基づいて第１の設定画面（任意設定画面）１０（１１〜１４）を表示部７に表示させると共に、第２の設定画面情報に基づいて第２の設定画面（簡易設定画面）２０を表示部７に表示させる表示制御部を有する。本実施例では、主制御部８が表示制御部の機能を有する。典型的には、第２の設定画面（簡易設定画面）２０は、一画面で表示される。
【００７９】
また、波形記録装置１は、表示部７に第１および第２の設定画面のうちいずれかを選択的に表示させる信号を表示制御部８に入力するための設定画面選択手段を有する。本実施例では、設定画面選択手段は、操作部６に設けられた設定スイッチ６３、簡易設定スイッチ６４で構成される。また、波形記録装置１は、第１および第２の設定画面において指定された内容に基づいて複数項目の動作条件を設定する動作条件情報を動作条件記憶部に記憶させる設定制御部を有する。本実施例では、主制御部８が設定制御部の機能を有する。
【００８０】
そして、本発明の波形記録装置１は、上記本発明の動作条件の設定方法を具現するものであって、第２の設定画面（簡易設定画面）２０には、波形記録装置１を使用して行うことのできる少なくとも１つの測定目的のうち特定の測定目的のための測定内容を表す文章であって、その少なくとも一部が複数の選択肢から選択することで変更できるようになっている文章が表示される。また、設定制御部８は、第２の設定画面（簡易設定画面）２０が表示部７に表示された場合、複数項目の動作条件のうち上記文章の複数の選択肢のそれぞれに関係付けて予め決定されている動作条件を、上記文章において表示された選択肢のものに設定すると共に、複数項目の動作条件のうち上記文章の前記複数の選択肢とは関係づけられていない動作条件を、上記特定の測定目的と関係付けて予め決定されている動作条件に設定する動作条件情報を、動作条件記憶部（動作条件メモリ）８２に記憶させる。
【００８１】
斯かる波形記録装置１における動作条件の設定方法および波形記録装置１によれば、商用電源の測定などの一般的な測定目的のために用意されている簡易設定画面２０に表示された文章を完成させていくことで、操作者が行いたい測定内容を決定することができる。そのため、波形記録装置１の複数項目の動作条件の内容を直接的に意識しなくても、当該測定内容に合致するように予め決定されている動作条件を適切に設定することができる。これにより、操作者が測定したい内容と実際に測定される内容の差を少なくすることができる。例えば、任意設定画面１０で設定を行う場合、商用電源の測定などの一般的な測定目的のためにも、操作者が測定したい内容に応じて時間軸レンジや測定レンジを考えて設定しなければならかった。これに対して、簡易設定画面２０で設定を行う場合には、操作者は、何Ｖ、何Ｈｚの商用電源を何波形分測定するといった測定したい内容が分かっていれば、簡易設定画面２０に表示される文章をその測定内容を表すように完成させていくことで、時間軸レンジや測定レンジのことを考えなくても、波形記録装置１の製造者側が予め決定した適切な動作条件に設定することができる。従って、例えば複雑な動作条件の設定が可能とされた波形記録装置１に初めて触る操作者でも、商用電源の測定などの一般的な測定目的のためならば、その測定目的のために必要な動作条件の設定を容易に行うことができる。簡易設定画面２０は、任意設定画面１０とは区別されて選択的に表示され、典型的には一画面で表示されるので、設定項目を探し出すような手間はいらない。
【００８２】
なお、本実施例では、特定の測定目的として商用電源を測定することを例として具体的に説明したが、波形記録装置１を使用して行うことが想定される一般的な測定目的は、商用電源を測定することに限定されるものではない。想定される任意の測定目的に関して、上述の実施例と同様に簡易設定画面を用意することができる。例えば、停電などの電圧降下を監視することが、一般的な測定目的として挙げられる。
【００８３】
また、本実施例では４つの測定チャネルを有する波形記録装置を例に挙げて説明したが、これに限定されるものではなく、１つの測定チャネル（単一のＡ／Ｄ変換部）を有する波形記録装置や、５つ以上の測定チャネル（５つ以上のＡ／Ｄ変換部）を有する波形記録装置に本発明を適用することができる。また、本発明における測定データとして電圧の電気的パラメータを測定する例について説明したが、これに限らず、電流、周波数および位相などの各種電気的パラメータを測定した測定データがこれに含まれる。また、温度、湿度および風力などのパラメータを電圧などに変換したものも本発明における測定データに含まれる。さらに、表示部を有する波形記録装置を例に挙げて説明したが、外部装置としての表示装置に対して上記の設定画面や波形表示画面などを表示させる構成を採用することもできる。また、データ記録部を有する（一体的に構成した）波形記録装置を例に挙げて説明したが、外部装置としての各種記録装置に記録対象データを記録する構成を採用することもできる。
【符号の説明】
【００８４】
１          波形記録装置
６          操作部
７          表示部
８          主制御部
９          データ記録部
１０        任意設定画面（第１の設定画面）
２０        簡易設定画面（第２の設定画面）
３０        波形表示画面
Ｄ１        サンプリングデータ
Ｄ２        記録対象データ
Ｄ３        設定画面表示用データ
Ｄ４        波形表示用データ
Ｓｉ        入力信号
Ｓｔ        トリガ信号
Ｗ          信号波形
【図１】
0005476265.tif 000002
【図２】
0005476265.tif 000003
【図３】
0005476265.tif 000004
【図４】
0005476265.tif 000005
【図５】
0005476265.tif 000006
【図６】
0005476265.tif 000007
【図７】
0005476265.tif 000008
【図８】
0005476265.tif 000009